(57)【要約】　　　（修正有）【課題】シリンダの側壁に横方向に設けた挿入部に挿入したピンをピストンに設けた凹部に係合させてその進退を規制し、ピストンの回動によりピンを挿入部から脱出させてその規制を解除するようにした接着剤注入器において、ピンを短すると共にその挿脱時の移動範囲を小さくできるようにすること。【解決手段】シリンダ１に取り付けた支持部材６にピン７を支持させると共にピン７の外側に押圧部を設け、シリンダ１の側壁にピン７挿入用の切欠き部５を設け、その切欠き部５の外側開口縁に狭小部４を形成して外力を加えない限りピン７が通過できないようにする【選択図】図２
2004068300.tif 000002
【特許請求の範囲】
【請求項１】
シリンダの側壁に横方向に設けた挿入部に挿入したピンをピストンに設けた凹部に係合させてその進退を規制し、ピストンの回動によりピンを挿入部から脱出させてその規制を解除するようにした接着剤注入器において、シリンダに取り付けた支持部材にピンを支持させると共にピンの外側に押圧部を設け、シリンダの側壁にピン挿入用の切欠き部を設け、その切欠き部の外側開口縁に狭小部を形成して外力を加えない限りピンが通過できないようにした接着剤注入器。
【請求項２】
ピン挿入用の切欠き部の外側にピン受入部を設けると共に、切欠き部と受入部との間及び受入部の外側開口縁に狭小部を形成した請求項１に記載の接着剤注入器。
【請求項３】
先端側にピンを取り付けた支持部材の基端部をシリンダに枢着した請求項１又は２に記載の接着剤注入器。
【請求項４】
切欠き部の両側で基端部を支持させた可撓部材にピンを支持させた請求項１又は２に記載の接着剤注入器。
【請求項５】
ピンを支持する部材と押圧部とを一体に形成した請求項１乃至４のいずれかに記載の接着剤注入器。
【発明の詳細な説明】
【０００１】
【技術分野】
本発明は、シリンダの側壁に横方向に設けた挿入部に挿入したピンをピストンに設けた凹部に係合させてその進退を規制し、ピストンの回動によりピンを挿入部から脱出させてその規制を解除するようにした接着剤注入器に関するもので、コンクリート構築物に発生したクラックを補修する場合などに使用される。
【０００２】
【従来技術とその問題点】
この種の接着剤注入器としては、実公平７−３６０１４　号公報に開示のものが公知となっている。
この公知の注入器は、ノズルを接着剤容器に臨ませピストンを後退させてシリンダ内に接着剤を吸入充填させた後、紐状の支持体で一端側をシリンダに連結させたピンをシリンダ後端部に穿設した二個の孔間に跨がるように挿入してピストンの進退を規制し、シリンダの先端とピストンの後端に突出させた係止部間にゴムなどの弾性体を掛け渡し、クラック上に貼着させた座金にノズルを連結させた後、ピストンを回動させることによって、その軸体のシリンダ壁との摺動部でピンを押圧してこれをスリットから突き出し、弾性体の収縮力を利用してピストンを前進させ接着剤を押し出すようにしたものである。
【０００３】
しかしながら、この注入器の場合、ピンを二個の孔間に跨がらせてピストンに係止させる関係上、ピンの両端を孔から突出させておく必要があり、しかも一方の孔から他方の孔に向けてピンを挿入する関係上、紐状の支持体も長くしておく必要がある。したがって、シリンダとピストンの係止部間に弾性体を掛け渡す際にピンの両端部が邪魔となって掛け渡し作業に支障を来すことになるし、場合によっては弾性体を掛ける際にこれがピンや紐状の支持体に引っ掛かってピンの一端が孔から外れたり、ピン自体が孔から抜け出るおそれが指摘されていた。
【０００４】
【技術的課題】
本発明は、シリンダの側壁に横方向に設けた挿入部に挿入したピンをピストンに設けた凹部に係合させてその進退を規制し、ピストンの回動によりピンを挿入部から脱出させてその規制を解除するようにした接着剤注入器において、ピンを短くすると共にその挿脱時の移動範囲を小さくできるようにすることを課題としたものである。
【０００５】
【技術的手段】
この技術的課題を解決するための技術的手段は、（イ）シリンダに取り付けた支持部材にピンを支持させると共に、（ロ）ピンの外側に押圧部を設け、（ハ）シリンダの側壁にピン挿入用の切欠き部を設け、（ニ）その切欠き部の外側開口縁に狭小部を形成して外力を加えない限りピンが通過できないようにしたこと、である。
第二の技術的手段は、上記の技術的手段において、（ホ）ピン挿入用の切欠き部の外側にピン受入部を設けると共に、（ヘ）切欠き部と受入部との間及び受入部の外側開口縁に狭小部を形成したことである。
【０００６】
第一の技術的手段において、ピンはシリンダに取り付けた支持部材に支持させられているため、常にシリンダと一体となっている。
シリンダの側壁にはピン挿入用の切欠き部が横方向に設けられているから、ピンは横向きの状態、すなわちその側壁をシリンダ壁に交差させた状態でピストンに向かって切欠き部に進入させることができる。したがって、ピン自体の長さは、ピストンの凹部に安定して係合させられる長さがあればよく、従来公知の接着剤注入器に比べて大幅に短く構成することができる。
同時に、ピンはシリンダの半径方向での移動が可能な範囲で支持されれば良いから、支持部材を短くしてピンの移動範囲を小さくすることができる。
【０００７】
この切欠き部の外側開口縁には狭小部が形成されていて、外力を加えない限りピンが通過できないようになっている。そこで、ピンの外側に設けられている押圧片を押してピンをシリンダの内側に向けて移動させると、ピンは切欠き部に進入してピストンの凹部に係合することになる。
ピンが切欠き部に進入した状態においては、内側からの外力、すなわちピストンの回動による押圧力が発生しない限り、ピンが切欠き部から脱出することはなく、ピストンの進退を規制し続けることになる。ゴムなどの弾性体をシリンダとピストンの係止部間に掛け渡しても、ピストンが前進することはない。
【０００８】
ピストンを回動させて切欠き部からピンを脱出させても、ピンはシリンダに取り付けた支持部材に支持されていて、しかも長尺のものではないから、シリンダとピストンの係止部間に掛け渡されている弾性体に絡むことはない。
【０００９】
第二の技術的手段において、ピン挿入用の切欠き部の外側にピン受入部が設けられているから、押圧されたピンはピン受入部を通過して切欠き部に臨ませられることになる。切欠き部と受入部との間には狭小部が形成されているから、内側からの外力が発生しない限り、ピンが切欠き部から受入部へ移動してしまうおそれはない。
ピストンを回動させることによって切欠き部を脱出させられたピンは、受入部に到達するが、受入部の外側開口縁にも狭小部が形成されているために、外力を加えない限りピンが受入部から飛び出すことはないし、不用意に切欠き部側へ戻ることもない。
【００１０】
先端側にピンを取り付けた支持部材の基端部をシリンダに枢着させると、支持部材が揺動してピンの切欠き部への挿脱が行われるから、ピンの移動方向が安定し、ピンの取り扱いも容易となる。支持部材の基端部の枢着位置は、シリンダの後端側であっても良いし、先端側であっても良い。
また、切欠き部の両側で基端部を支持させた可撓部材にピンを支持させると、可撓部材の撓みを利用して切欠き部との挿脱が行われ、ピンの移動範囲を必要最小限度に設計することができる。
ピンにはこれを押圧するための押圧部が設けられているが、この押圧部は板状に形成しておくと押圧作業がやりやすくなる。また、ピンを支持する部材と押圧部とを一体に形成した場合には、ピンの押圧を安定して行えるし、注入器をスマートに形成することができる。
【００１１】
【本発明の効果】
ピンを短くしてその挿脱時の移動範囲を小さくできる結果、シリンダとピストンの係止部間にゴム等の弾性体をかける際にピンが邪魔になったり、引っ掛かったりすることはなく、またピストンの凹部から脱出させたピンが弾性体に引っ掛かるおそれもない。したがって、安定した注入作業を行える利点がある。
【００１２】
【実施の形態】
図１は、接着剤注入器１０の平面図、図２はその正面図である。
この注入器１０は、ポリプロピレン樹脂で成形した注射器状のものであって、シリンダ１とピストン１１とで構成されている。
シリンダ１の先端面中央には図示しない座金に螺着させるノズル２が突出してあり、ピストン１１の先端部にはシリンダ１の内壁との間をシールするためのゴム部材１２を取り付けている。
また、シリンダ１の先端部両側とピストン１１の後端部両側にはフック３、１３が突設してあって、この間にピストン１１を押圧するための弾性体としてのゴム（図示せず）を掛け渡すように構成している。
【００１３】
シリンダ１の後端部側壁にはシリンダの軸芯と直交する状態で切欠き部５が形成してあり、その外側開口縁は、左右の間隔を若干小さくして狭小部４を設けている。
本実施形態では、シリンダ１の後端部には板状の支持部材６の基端部が枢着させてあり、その先端部裏面には、前記切欠き部５に対応する位置に支持片を介してピン７を取り付けている。したがって、支持部材６の先端部を押圧すると、ピン７を切欠き部５内に進入させることができる。このとき、ピン７は狭小部４によって外力を加えられない限り切欠き部５から脱出することはない。
【００１４】
ピストン１１の軸体の外側には、フック１３と平行に複数の凹部１５、１５が形成してあって、シリンダ１内に所定の接着剤を吸引した状態（この実施形態では１０ｃｃ単位）で切欠き部５と凹部１５との位置を合致させるように構成してあり、その状態で支持部材６を押圧すると、切欠き部５内に進入させたピン７が凹部１５と係合する。したがって、フック３、１３間にゴムを掛け渡しても、ピストン１１が前進することはない。
【００１５】
フック間にゴムを掛け渡した後、ピストン１１をシリンダ１内で回動させると、ピストン１１の軸体のシリンダ１内壁と摺動する部分、すなわち凹部１５の開口部側縁がピン７に当接して内側から突き上げ、強制的に狭小部４を通過させて切欠き部５から脱出させることになる。このとき、ピン７は支持部材６に支持されているため、その揺動範囲内で移動することになる。
【００１６】
なお、この実施形態では、シリンダ１の後端部側に補強壁８を設けていて、ピストンを後退させて接着剤をシリンダ内に充填させた際にピストン１１が傾倒するのを防止できるように構成している。補強壁８に設けた凹部９は、シリンダ１の後端縁がピストン１１の前進を妨げないようにするためのものであり、フック１３の突出形状を変更すれば、この凹部９は不要となる場合がある。
ピストン１１を補強壁８によって支持させると、ピストン１１が傾斜するのを防止することができるから、フック３、１３間にゴムを掛ける作業を円滑に行うことができる。
【００１７】
図３は、上記の切欠き部５の外側にピン受入部１７を連接させた実施形態を示している。
切欠き部５の外側、すなわち受入部１７との境界には狭小部４を形成しているが、受入部１７の外側開口縁にも同様の狭小部１８を形成している。したがって、ピストン１１を回動して切欠き部５から突き出されたピン７は受入部１７に到達するが、狭小部１８があるために、外力を加えられない限り受入部１７から脱出することはない。そのため、ピン７は、受入部１７と切欠き部５との間の極めて狭い範囲で移動するため、極めて作業性の良いものとなる。
【００１８】
図４は、切欠き部５の両側で基端部を支持させた可撓部材としてのポリエチレン製の支持片２１の先端部でピン２７を支持させた実施形態を示したものである。ピン２７の上側には押圧片２６を一体に形成してあって、これを押圧すると、支持片２１が撓んでピン２７を切欠き部５内に臨ませることになる。
この支持片２１は、本実施形態ではシリンダ１とは別体に形成してあって、その基端部をシリンダ１の切欠き部５の左右に突出させた突起２２（図面では一方のみ見えている）に係止させている。成形上問題がなければ支持片２１をシリンダと一体に成形するようにしても良い。
【図面の簡単な説明】
【図１】接着剤注入器の平面図
【図２】接着剤注入器の正面図
【図３】他の実施形態におけるシリンダの正面図
【図４】ピンを支持片で支持させた実施形態におけるシリンダの正面図
【符号の説明】
１シリンダ、　３、１３フック、　４、１８狭小部、　５切欠き部、　６支持部材、
７、２７ピン、　８補強壁、　９補強壁の凹部、　１０接着剤注入器、　１１ピストン、　１５ピストンの軸体の凹部、　１７受入部、　２１支持片、　２２支持片を係止させる突起、　２６押圧片
【図１】
2004068300.tif 000003
【図２】
2004068300.tif 000004
【図３】
2004068300.tif 000005
【図４】
2004068300.tif 000006